【手続補正書】
【提出日】令和1年5月15日(2019.5.15)
【手続補正１】
【補正対象書類名】特許請求の範囲
【補正対象項目名】全文
【補正方法】変更
【補正の内容】
【特許請求の範囲】
【請求項１】
第１流体と第２流体との間で熱交換を行う熱交換器であって、
前記第１流体の流れ方向に対して直列に配置された複数の熱交換部（１７、１８）を備え、
前記複数の熱交換部は、それぞれ、
前記第２流体が流れる複数のチューブ（１７１、１８１）を積層して構成されたコア部（１７ａ、１８ａ）と、
前記複数のチューブの端部に接続されるとともに、前記複数のチューブに対して前記第２流体の分配または集合を行うヘッダタンク（３１、３２）と、を有しており、
前記ヘッダタンクは、
前記複数のチューブが挿入した状態で接合されるチューブ接合部（３１ａ、３２ａ）と、
前記チューブ接合部とともにタンク内空間を構成するタンク本体部（３１ｂ、３２ｂ）と、を有しており、
前記複数の熱交換部の前記チューブ接合部は、１つのコアプレート（４０）により一体に構成されており、
前記複数の熱交換部のうち少なくとも１つは、前記タンク本体部から前記コア部側に向けて突出した爪部（３１ｃ、３２ｃ）を有しており、
前記コアプレートには、前記爪部と嵌合する孔部（４２）が設けられており、
前記爪部が前記孔部に嵌合された状態で、前記タンク本体部が前記コアプレートに対して固定されており、
前記第１流体の流れ方向に隣り合う前記タンク本体部のうち、一方の前記タンク本体部における他方の前記タンク本体部側の前記爪部と、前記他方のタンク本体部における前記一方のタンク本体部側の前記爪部とは、前記第１流体の流れ方向から見たときに非重合となる位置に配置されている熱交換器。
【請求項２】
第１流体と第２流体との間で熱交換を行う熱交換器であって、
前記第１流体の流れ方向に対して直列に配置された複数の熱交換部（１７、１８）を備え、
前記複数の熱交換部は、それぞれ、
前記第２流体が流れる複数のチューブ（１７１、１８１）を積層して構成されたコア部（１７ａ、１８ａ）と、
前記複数のチューブの端部に接続されるとともに、前記複数のチューブに対して前記第２流体の分配または集合を行うヘッダタンク（３１、３２）と、を有しており、
前記ヘッダタンクは、
前記複数のチューブが挿入した状態で接合されるチューブ接合部（３１ａ、３２ａ）と、
前記チューブ接合部とともにタンク内空間を構成するタンク本体部（３１ｂ、３２ｂ）と、を有しており、
前記複数の熱交換部の前記チューブ接合部は、１つのコアプレート（４０）により一体に構成されており、
前記複数の熱交換部のうち少なくとも１つは、前記タンク本体部から前記コア部側に向けて突出した爪部（３１ｃ、３２ｃ）を有しており、
前記コアプレートには、前記爪部と嵌合する孔部（４２）が設けられており、
前記爪部が前記孔部に嵌合された状態で、前記タンク本体部が前記コアプレートに対して固定されており、
前記コアプレートのうち、前記複数の熱交換部における前記チューブ接合部同士の間を、境界部（４３）としたとき、
前記孔部のうち、前記境界部に設けられる孔部は、
前記爪部が接合される接合面（４２０）を有する接合部（４２ａ）と、
前記接合面を有しない非接合部（４２ｂ）とを備えており、
前記非接合部は、前記接合部に対して、前記境界部における前記第１流体の流れ方向の中央側に配置されており、
前記非接合部の前記接合部側の端部における前記チューブの積層方向の長さは、前記爪部の前記非接合部側の端部における前記チューブの積層方向の長さよりも短い熱交換器。
【請求項３】
前記コアプレートのうち、前記複数の熱交換部における前記チューブ接合部同士の間を、境界部（４３）としたとき、
前記孔部のうち、前記境界部に設けられる孔部は、
前記爪部が接合される接合面（４２０）を有する接合部（４２ａ）と、
前記接合面を有しない非接合部（４２ｂ）とを備えており、
前記非接合部は、前記接合部に対して、前記境界部における前記第１流体の流れ方向の中央側に配置されており、
前記非接合部の前記接合部側の端部における前記チューブの積層方向の長さは、前記爪部の前記非接合部側の端部における前記チューブの積層方向の長さよりも短い請求項１に記載の熱交換器。
【請求項４】
前記第１流体の流れ方向に隣り合う前記タンク本体部のうち、一方の前記タンク本体部における他方の前記タンク本体部側の前記爪部と、前記他方のタンク本体部における前記一方のタンク本体部側の前記爪部とは、前記第１流体の流れ方向から見たときに非重合となる位置に配置されている請求項２に記載の熱交換器。
【請求項５】
前記コアプレートのうち、前記複数の熱交換部のうち隣り合う２つの熱交換部の間には、スリット（４４）が形成されている請求項１ないし４のいずれか１つに記載の熱交換器。
【請求項６】
前記複数の熱交換部の前記タンク本体部は、それぞれ、前記コア部側に向けて突出した爪部（３１ｃ、３２ｃ）を有している請求項１ないし５のいずれか１つに記載の熱交換器。
【請求項７】
前記コアプレートのうち、前記複数の熱交換部のうち隣り合う２つの熱交換部の間には、スリット（４４）が形成されており、
前記スリットは、前記チューブの積層方向において、前記複数の熱交換部のうち隣り合う２つの熱交換部の一方の爪部が篏合する孔部と、前記複数の熱交換部のうち隣り合う２つの熱交換部の他方の爪部が篏合する孔部との間に位置している請求項１ないし６のいずれか１つに記載の熱交換器。
【手続補正２】
【補正対象書類名】明細書
【補正対象項目名】０００８
【補正方法】変更
【補正の内容】
【０００８】
上記目的を達成するため、請求項１に記載の発明では、第１流体と第２流体との間で熱交換を行う熱交換器において、第１流体の流れ方向に対して直列に配置された複数の熱交換部（１７、１８）を備え、複数の熱交換部は、それぞれ、第２流体が流れる複数のチューブ（１７１、１８１）を積層して構成されたコア部（１７ａ、１８ａ）と、複数のチューブの端部に接続されるとともに、複数のチューブに対して冷媒の分配または集合を行うヘッダタンク（３１、３２）と、を有しており、ヘッダタンクは、複数のチューブが挿入した状態で接合されるチューブ接合部（３１ａ、３２ａ）と、チューブ接合部とともにタンク内空間を構成するタンク本体部（３１ｂ、３２ｂ）と、を有しており、複数の熱交換部のチューブ接合部は、１つのコアプレート（４０）により一体に構成されており、複数の熱交換部のうち少なくとも１つは、それぞれ、コア部側に向けて突出した爪部（３１ｃ、３２ｃ）を有しており、コアプレートには、爪部と嵌合する孔部（４２）が設けられており、爪部が孔部に嵌合された状態で、タンク本体部がコアプレートに対して固定されており、第１流体の流れ方向に隣り合うタンク本体部のうち、一方のタンク本体部における他方のタンク本体部側の爪部と、他方のタンク本体部における一方のタンク本体部側の爪部とは、第１流体の流れ方向から見たときに非重合となる位置に配置されている。
【手続補正３】
【補正対象書類名】明細書
【補正対象項目名】０００９
【補正方法】変更
【補正の内容】
【０００９】
これによれば、タンク本体部（３１ｂ、３２ｂ）の爪部（３１ｃ、３２ｃ）がコアプレート（４０）の孔部（４２）に嵌合された状態で、タンク本体部（３１ｂ、３２ｂ）をコアプレート（４０）に対して固定することで、タンク本体部（３１ｂ、３２ｂ）をコアプレート（４０）の所望の位置に正確に位置決めすることができる。このとき、コアプレート（４０）にタンク本体部（３１ｂ、３２ｂ）を位置決めする構造を別途設ける必要がないため、熱交換器（１２）の小型化を図ることができる。
また、請求項２に記載の発明では、第１流体と第２流体との間で熱交換を行う熱交換器において、第１流体の流れ方向に対して直列に配置された複数の熱交換部（１７、１８）を備え、複数の熱交換部は、それぞれ、第２流体が流れる複数のチューブ（１７１、１８１）を積層して構成されたコア部（１７ａ、１８ａ）と、複数のチューブの端部に接続されるとともに、複数のチューブに対して第２流体の分配または集合を行うヘッダタンク（３１、３２）と、を有しており、ヘッダタンクは、複数のチューブが挿入した状態で接合されるチューブ接合部（３１ａ、３２ａ）と、チューブ接合部とともにタンク内空間を構成するタンク本体部（３１ｂ、３２ｂ）と、を有しており、複数の熱交換部のチューブ接合部は、１つのコアプレート（４０）により一体に構成されており、複数の熱交換部のうち少なくとも１つは、タンク本体部からコア部側に向けて突出した爪部（３１ｃ、３２ｃ）を有しており、コアプレートには、爪部と嵌合する孔部（４２）が設けられており、爪部が孔部に嵌合された状態で、タンク本体部がコアプレートに対して固定されており、コアプレートのうち、複数の熱交換部におけるチューブ接合部同士の間を、境界部（４３）としたとき、孔部のうち、境界部に設けられる孔部は、爪部が接合される接合面（４２０）を有する接合部（４２ａ）と、接合面を有しない非接合部（４２ｂ）とを備えており、非接合部は、接合部に対して、境界部における第１流体の流れ方向の中央側に配置されており、非接合部の接合部側の端部におけるチューブの積層方向の長さは、爪部の非接合部側の端部におけるチューブの積層方向の長さよりも短い。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】